(57)【特許請求の範囲】
【請求項１】
エレベーターのドアパネルが全開しているときにエレベーターの敷居の敷居溝を上方から覆い、前記ドアパネルが全閉しているときに前記ドアパネルの下端および前記敷居の間の隙間を塞ぐ隙間遮蔽部
を備え、
前記隙間遮蔽部は、
前記ドアパネルが開閉するときに前記敷居溝の内側において前記敷居溝に案内される摺動部、および前記摺動部を前記ドアパネルの下端に取り付ける取付具を有し、前記取付具の長さが前記ドアパネルの全体にわたる長さであるドアシューと、
前記敷居溝を上方から覆い、前記ドアパネルが開閉するときに前記取付具が移動しながら縁に接触するスリットを有し、前記ドアパネルが全開しているときに前記スリットが閉じ、前記ドアパネルが全閉しているときに前記スリットの縁が前記取付具に上方から下方に押し付けるように接触する敷居溝カバーと、
を備える
エレベーターのドア。
【請求項２】
エレベーターのドアパネルが全開しているときにエレベーターの敷居の敷居溝を上方から覆い、前記ドアパネルが全閉しているときに前記ドアパネルの下端および前記敷居の間の隙間を塞ぐ隙間遮蔽部
を備え、
前記隙間遮蔽部は、
前記ドアパネルが開閉するときに前記敷居溝の内側において前記敷居溝に案内される摺動部、および前記摺動部を前記ドアパネルの下端に取り付ける取付具を有するドアシューと、
前記敷居溝を上方から覆い、前記ドアパネルが開閉するときに前記取付具が移動しながら縁に接触するスリットを有し、前記ドアパネルが全開しているときに前記スリットが閉じ、前記ドアパネルが全閉しているときに前記スリットの縁が持ち上がって前記ドアパネルの下端に接触する敷居溝カバーと、
を備える
エレベーターのドア。
【請求項３】
前記敷居溝カバーは、前記ドアパネルが全閉しているときに前記摺動部に接触する突起部を前記スリットの縁に有し、前記突起部が前記摺動部に押し上げられることによって前記スリットの縁が前記ドアパネルの下端まで持ち上がる
請求項２に記載のエレベーターのドア。
【請求項４】
前記突起部は、裾野部分から頂部分に向かって傾斜している傾斜部を有する
請求項３に記載のエレベーターのドア。
【請求項５】
前記敷居溝カバーは、前記敷居を上方から覆う
請求項１から請求項４のいずれか一項に記載のエレベーターのドア。
【請求項６】
前記敷居溝カバーは、前記敷居溝の側壁に接触する水平固定部を有する
請求項５に記載のエレベーターのドア。
【請求項７】
前記敷居溝カバーは、前記敷居溝の内側に挿入される
請求項１から請求項６のいずれか一項に記載のエレベーターのドア。
【請求項８】
前記敷居溝カバーは、前記敷居溝の底面に固定される
請求項７に記載のエレベーターのドア。
【請求項９】
エレベーターのドアパネルが開閉するときにエレベーターの敷居の敷居溝の内側において前記敷居溝に案内される摺動部、および前記摺動部を前記ドアパネルの下端に取り付ける取付具を有し、前記取付具の長さが前記ドアパネルの全体にわたる長さであるドアシューと、
前記敷居溝を上方から覆い、前記ドアパネルが開閉するときに前記取付具が移動しながら縁に接触するスリットを有し、前記ドアパネルが全開しているときに前記スリットが閉じ、前記ドアパネルが全閉しているときに前記スリットの縁が前記取付具に上方から下方に押し付けるように接触する敷居溝カバーと、
を備えるエレベーターのドアの保守部品。
【請求項１０】
取付具によってエレベーターのドアパネルの下端に取り付けられる摺動部を前記ドアパネルが開閉するときに案内するエレベーターの敷居の敷居溝を上方から覆い、前記ドアパネルが開閉するときに前記取付具が移動しながら縁に接触するスリットを有し、前記ドアパネルが全開しているときに前記スリットが閉じ、前記ドアパネルが全閉しているときに前記スリットの縁が持ち上がって前記ドアパネルの下端に接触する敷居溝カバー
を備えるエレベーターのドアの保守部品。
【請求項１１】
前記敷居溝カバーは、前記ドアパネルが全閉しているときに前記摺動部に接触する突起部を前記スリットの縁に有し、前記突起部が前記摺動部に押し上げられることによって前記スリットの縁が前記ドアパネルの下端まで持ち上がる
請求項１０に記載のエレベーターのドアの保守部品。
【請求項１２】
前記突起部は、裾野部分から頂部分に向かって傾斜している傾斜部を有する
請求項１１に記載のエレベーターのドアの保守部品。
【請求項１３】
前記敷居溝カバーは、前記敷居を上方から覆う
請求項９から請求項１２のいずれか一項に記載のエレベーターのドアの保守部品。
【請求項１４】
前記敷居溝カバーは、前記敷居溝の側壁に接触する水平固定部を有する
請求項１３に記載のエレベーターのドアの保守部品。
【請求項１５】
前記敷居溝カバーは、前記敷居溝の内側に挿入される
請求項９から請求項１４のいずれか一項に記載のエレベーターのドアの保守部品。
【請求項１６】
前記敷居溝カバーは、前記敷居溝の底面に固定される
請求項１５に記載のエレベーターのドアの保守部品。
【発明の詳細な説明】
【技術分野】
【０００１】
本発明は、エレベーターのドアおよびエレベーターのドアの保守部品に関する。
【背景技術】
【０００２】
特許文献１は、エレベーターのドアの例を開示する。ドアは、ドアシューと、敷居と、を備える。ドアシューは、ドアパネルの下端に設けられる。敷居は、ドアシューを案内する敷居溝を有する。ドアは、敷居溝に固定される溝カバーを有する。溝カバーは、敷居溝の両側の側壁から互いにわずかな隙間を有して対向する。溝カバーは、敷居溝への異物の侵入を防ぐ。
【先行技術文献】
【特許文献】
【０００３】
【特許文献１】日本実開昭６２−７１１７３号公報
【発明の概要】
【発明が解決しようとする課題】
【０００４】
しかしながら、特許文献１のドアにおいて、ドアパネルの下端と敷居との間に隙間がある。このため、エレベーターが設けられる建築物に例えば火災などが発生するときに、昇降路および乗場の間において煙が流れることがある。【０００５】
本発明は、このような課題を解決するためになされた。本発明の目的は、敷居溝への異物の侵入の防止およびドアの下部における遮煙を両立できるエレベーターのドアおよびエレベーターのドアの保守部品を提供することである。
【課題を解決するための手段】
【０００６】
本発明に係るエレベーターのドアは、エレベーターのドアパネルが全開しているときにエレベーターの敷居の敷居溝を上方から覆い、ドアパネルが全閉しているときにドアパネルの下端および敷居の間の隙間を塞ぐ隙間遮蔽部を備え、隙間遮蔽部は、ドアパネルが開閉するときに敷居溝の内側において敷居溝に案内される摺動部、および摺動部をドアパネルの下端に取り付ける取付具を有し、取付具の長さがドアパネルの全体にわたる長さであるドアシューと、敷居溝を上方から覆い、ドアパネルが開閉するときに取付具が移動しながら縁に接触するスリットを有し、ドアパネルが全開しているときにスリットが閉じ、ドアパネルが全閉しているときにスリットの縁が取付具に上方から下方に押し付けるように接触する敷居溝カバーと、を備える。
本発明に係るエレベーターのドアは、エレベーターのドアパネルが全開しているときにエレベーターの敷居の敷居溝を上方から覆い、ドアパネルが全閉しているときにドアパネルの下端および敷居の間の隙間を塞ぐ隙間遮蔽部を備え、隙間遮蔽部は、ドアパネルが開閉するときに敷居溝の内側において敷居溝に案内される摺動部、および摺動部をドアパネルの下端に取り付ける取付具を有するドアシューと、敷居溝を上方から覆い、ドアパネルが開閉するときに取付具が移動しながら縁に接触するスリットを有し、ドアパネルが全開しているときにスリットが閉じ、ドアパネルが全閉しているときにスリットの縁が持ち上がってドアパネルの下端に接触する敷居溝カバーと、を備える。
【０００７】
本発明に係るエレベーターのドアの保守部品は、エレベーターのドアパネルが開閉するときにエレベーターの敷居の敷居溝の内側において敷居溝に案内される摺動部、および摺動部をドアパネルの下端に取り付ける取付具を有し、取付具の長さがドアパネルの全体にわたる長さであるドアシューと、敷居溝を上方から覆い、ドアパネルが開閉するときに取付具が移動しながら縁に接触するスリットを有し、ドアパネルが全開しているときにスリットが閉じ、ドアパネルが全閉しているときにスリットの縁が取付具に上方から下方に押し付けるように接触する敷居溝カバーと、を備える。
【０００８】
本発明に係るエレベーターのドアの保守部品は、取付具によってエレベーターのドアパネルの下端に取り付けられる摺動部をドアパネルが開閉するときに案内するエレベーターの敷居の敷居溝を上方から覆い、ドアパネルが開閉するときに取付具が移動しながら縁に接触するスリットを有し、ドアパネルが全開しているときにスリットが閉じ、ドアパネルが全閉しているときにスリットの縁が持ち上がってドアパネルの下端に接触する敷居溝カバーを備える。
【発明の効果】
【０００９】
本発明に係るエレベーターのドアおよびエレベーターのドアの保守部品であれば、敷居溝への異物の侵入の防止およびドアの下部における遮煙を両立できる。
【図面の簡単な説明】
【００１０】
【図１】実施の形態１に係るエレベーターのドアの背面図である。
【図２】実施の形態１に係る隙間遮蔽部の斜視図である。
【図３】実施の形態１に係るエレベーターのドアの背面図である。
【図４】実施の形態１に係る敷居溝カバーの斜視図である。
【図５】実施の形態１の変形例に係る隙間遮蔽部の斜視図である。
【図６】実施の形態２に係るエレベーターのドアの背面図である。
【図７】実施の形態２に係るエレベーターのドアの鉛直断面図である。
【図８】実施の形態２に係るエレベーターのドアの背面図である。
【図９】実施の形態２に係るエレベーターのドアの鉛直断面図である。
【図１０】実施の形態２の変形例に係るエレベーターのドアの鉛直断面図である。
【図１１】実施の形態２の変形例に係るエレベーターのドアの鉛直断面図である。
【発明を実施するための形態】
【００１１】
本発明を実施するための形態について添付の図面を参照しながら説明する。各図において、同一または相当する部分には同一の符号を付して、重複する説明は適宜に簡略化または省略する。
【００１２】
実施の形態１．
図１は、実施の形態１に係るエレベーターのドアの背面図である。
【００１３】
図１において、エレベーターのドア１が示される。エレベーターは、複数の階床を有する建築物に設けられる。建築物において、昇降路が、複数の階床にわたって設けられる。エレベーターは、昇降路の内部を鉛直方向に走行するかごによって、複数の階床の間で利用者などを輸送する装置である。かごは、例えば図示されない巻上機などによって昇降路の内部を走行する機器である。巻上機は、例えば昇降路の上部または下部、もしくは昇降路の上方の機械室などに設けられる。巻上機は、例えばかごに設けられるロープを介してかごを走行させる機器である。かごは、かごドアを備える。かごドアは、利用者がかごに乗降しうるように開閉する機器である。かごドアは、かごの内側と昇降路とを空間的に分離することによって利用者などが昇降路へ転落することを防止する。かごドアは、エレベーターのドア１の例である。この例において、エレベーターのドア１は、片開きのドアである。
【００１４】
建築物の複数の階床の各々において、乗場が設けられる。乗場において、乗場ドアが設けられる。乗場ドアは、乗場と昇降路とを空間的に分離することによって利用者などが昇降路へ転落することを防止する。乗場ドアは、乗場が設けられる階床に停止しているかごに利用者が乗降しうるように、かごドアの開閉に連動して開閉する機器である。乗場ドアは、エレベーターのドア１の例である。
【００１５】
以下において、次のように設定されるｘｙｚ直交座標系を用いて説明する。ｙ軸の方向は、鉛直方向である。ｘｚ平面は、水平面である。ｚ軸の方向は、ドア１の開閉方向である。エレベーターのドア１においてｘ軸の正の方向は、ドア１が閉じているときに乗客がいる方向である。すなわち、ドア１が乗場ドアである場合に、ｘ軸の正の方向は、乗場を向く方向である。あるいは、ドア１がかごドアである場合に、ｘ軸の正の方向は、かごの内側を向く方向である。
【００１６】
ドア１は、２枚のドアパネル２と、ドアハンガー３と、敷居４と、を備える。２枚のドアパネル２の各々は、板状の機器である。２枚のドアパネル２の各々の厚さ方向は、ｘ軸の方向に向けられる。２枚のドアパネル２は、ドア１が開閉するときにｚ軸の方向に移動することで開閉する機器である。すなわち、ドアパネル２の開閉方向は、ドア１の開閉方向である。ドア１が開閉するときに、２枚のドアパネル２は、互いに同じ方向に移動する。ドアハンガー３は、ドア１の上部に設けられる。ドアハンガー３は、ドアパネル２の開閉方向に長い。ドアハンガー３は、各々の上端部がかかっている２枚のドアハンガー３の荷重を支持する。敷居４は、ドアパネル２の下端部より下方に設けられる。敷居４は、ドアパネル２の開閉方向に長い。敷居４は、敷居溝５を有する。敷居溝５は、ドアパネル２の開閉方向に長い溝である。敷居溝５は、ドアパネル２が開閉するときにドアパネル２を案内する溝である。
【００１７】
図１において、ドアパネル２が全閉している状態のドア１が示される。ドアパネル２が全閉しているときに、ドアパネル２は戸当たり６に当たっている。例えばドア１が乗場ドアである場合に、戸当たり６は、乗場の三方枠に設けられる。あるいは、例えばドア１がかごドアである場合に、戸当たり６は、かごに設けられる。
【００１８】
ドア１は、隙間遮蔽部７を備える。隙間遮蔽部７は、ドアシュー８と、敷居溝カバー９と、を備える。ここで、隙間遮蔽部７の一部または全部は、保守作業などにおいて交換可能であってもよい。隙間遮蔽部７は、エレベーターのドア１の保守部品の例である。
【００１９】
ドアシュー８は、２枚のドアパネル２の各々の下端部に設けられる。ドアシュー８は、取付具１０と、摺動部１１と、を備える。
【００２０】
取付具１０は、ドアパネル２の下端部に設けられる。取付具１０は、例えばネジなどによってドアパネル２に取り付けられる単一の金属板である。ドアパネル２の開閉方向における取付具１０の長さは、当該取付具１０が取り付けられているドアパネル２の全体にわたる。すなわち、取付具１０のｚ軸方向の長さは、ドアパネル２のｚ軸方向の幅である。
【００２１】
摺動部１１は、敷居溝５に上方から挿し込まれるように配置される部分である。摺動部１１は、例えば樹脂によって形成される。摺動部１１の下端は、敷居溝５の上端より下方に配置される。摺動部１１の下面は、敷居溝５の底面５ｂに対向する。摺動部１１の側面は、敷居溝５の側壁５ａに対向する。摺動部１１は、取付具１０の下端に接着されている。摺動部１１は、取付具１０を介してドアパネル２に取り付けられる。なお、摺動部１１のｚ軸方向の長さは、ドアパネル２のｚ軸方向の幅より短くてもよい。ドアシュー８は、複数の摺動部１１を有していてもよい。
【００２２】
敷居溝カバー９は、敷居４に配置される。敷居溝カバー９は、敷居溝５を上方から覆う。敷居溝カバー９は、ドアパネル２の開閉方向に長い器具である。敷居溝カバー９は、可撓性を有する材質によって形成される。敷居溝カバー９は、例えばゴムなどの弾性材料によって形成される。敷居溝カバー９は、スリット１２を有する。スリット１２は、敷居溝５に沿うように設けられる。
【００２３】
図２は、実施の形態１に係る隙間遮蔽部の斜視図である。
図２において、ドアパネル２が全閉しているときの隙間遮蔽部７が示される。
【００２４】
この例において、敷居溝カバー９は、敷居４の上面の全体を上方から覆う。敷居溝カバー９は、第１カバー１３ａおよび第２カバー１３ｂからなる。第１カバー１３ａは、敷居溝カバー９のｘ軸方向の正側の部分である。第２カバー１３ｂは、敷居溝カバー９のｘ軸方向の負側の部分である。第１カバー１３ａおよび第２カバー１３ｂは、敷居溝５の中心線を通る鉛直面に関して対称に配置される。第１カバー１３ａおよび第２カバー１３ｂは、敷居溝５の上方において対向する。敷居溝カバー９は、第１カバー１３ａおよび第２カバー１３ｂの隙間によってスリット１２を形成する。すなわち、第２カバー１３ｂに対向する第１カバー１３ａの端部、および第１カバー１３ａに対向する第２カバー１３ｂの端部は、スリット１２の縁１４をなす。スリット１２の縁１４は、上方に向かって曲がっている。ドアパネル２が全閉しているときに、スリット１２の縁１４は、弾性などによって上方から下方に押し付けるように取付具１０に接触している。
【００２５】
このように、隙間遮蔽部７は、ドアパネル２の下端および敷居４の間の隙間を塞いでいる。ここで、取付具１０および敷居溝カバー９は互いに密着している。このため、ドアパネル２の下端部より下方において、ドアパネル２の厚さ方向における気体の流れが遮断される。
【００２６】
続いて、図３および図４を用いて、隙間遮蔽部７の動作の例を説明する。
図３は、実施の形態１に係るエレベーターのドアの背面図である。図４は、実施の形態１に係る敷居溝カバーの斜視図である。
【００２７】
図３において、ドアパネル２が開くときのドア１が示される。このとき、ドアパネル２は、戸当たり６から離れる方向に移動する。摺動部１１は、敷居溝５に案内されながら移動する。敷居溝カバー９に接触している取付具１０は、スリット１２の縁１４に接触しながら戸当たり６から離れる方向に移動する。
【００２８】
図４において、ドアパネル２が全開しているときの隙間遮蔽部７の敷居溝カバー９が示される。敷居溝カバー９のスリット１２の縁１４は、弾性などによって上方から下方に押し付けるように反対側の縁１４に接触している。このとき、スリット１２が閉じている。
【００２９】
一方、ドアパネル２が閉じるときに、ドアパネル２は、戸当たり６に近づく方向に移動する。このとき、摺動部１１は、敷居溝５に案内されながら移動する。敷居溝カバー９に接触している取付具１０は、スリット１２の縁１４に接触しながら戸当たり６に近づく方向に移動する。
【００３０】
その後、ドアパネル２が全閉するときに、スリット１２の縁１４は、取付具１０に再び接触する。これにより、隙間遮蔽部７は、ドアパネル２の下端および敷居４の間の隙間を塞ぐ。
【００３１】
以上に説明したように、実施の形態１に係るエレベーターのドア１は、隙間遮蔽部７を備える。隙間遮蔽部７は、ドアパネル２が全開しているときに敷居４の敷居溝５を上方から覆う。隙間遮蔽部７は、ドアパネル２が全閉しているときにドアパネル２の下端および敷居４の間の隙間を塞ぐ。
【００３２】
敷居溝５への侵入する異物は、例えば乗降する利用者の履物に付着していた小石などである。このため、異物の浸入は、ドアパネル２が全開しているときに起こりやすい。このとき、隙間遮蔽部７は敷居溝５を上方から覆っているので、敷居溝５への異物の侵入を防ぐことができる。また、例えば法規制または防災上の理由などによって、昇降路の防火区画に遮煙性能を有する防火設備が必要になる場合がある。遮煙性能は、例えば、建築物に火災などが発生する場合にドアパネル２が全閉しているときに昇降路および乗場の間において煙を遮断する性能である。ここで、ドアパネル２が全閉しているときに隙間遮蔽部７はドアパネル２の下端および敷居４の間の隙間を塞ぐので、エレベーターのドア１そのものが遮煙性能を持つことができる。これにより、エレベーターのドア１は、敷居溝５への異物の侵入の防止およびドア１の下部における遮煙を両立できる。
【００３３】
また、隙間遮蔽部７は、ドアシュー８と、敷居溝カバー９と、を備える。ドアシュー８は、摺動部１１、および取付具１０を有する。摺動部１１は、ドアパネル２が開閉するときに敷居溝５の内側において敷居溝５に案内される。取付具１０は、摺動部１１をドアパネル２の下端に取り付ける。取付具１０の長さは、ドアパネル２の全体にわたる長さである。敷居溝カバー９は、スリット１２を有する。ドアパネル２が開閉するときに、取付具１０は、移動しながらスリット１２の縁１４に接触する。ドアパネル２が全開しているときに、スリット１２は閉じる。ドアパネル２が全閉しているときに、スリット１２の縁１４は、取付具１０に接触する。
【００３４】
取付具１０の長さがドアパネル２の幅の全体にわたる長さであるので、ドアパネル２が全閉しているときにドアパネル２の下端および敷居４の間の隙間が取付具１０によって塞がれる。すなわち、隙間遮蔽部７は、取付具１０とスリット１２の縁１４との接触によって、ドアパネル２の下端および敷居４の間の隙間を塞ぐ。これにより、ドアパネル２の下端部より下方において、ドアパネル２の厚さ方向における気体の流れが遮断される。このため、エレベーターのドア１そのものによってドア１の下部において煙の流れを遮断できる。
【００３５】
また、敷居溝カバー９は、敷居４を上方から覆う。これにより、敷居溝カバー９の敷居４への設置が容易になる。
【００３６】
なお、エレベーターのドア１は、ドアパネル２を３枚以上備えていてもよい。エレベーターのドア１は、ドアパネル２を１枚そなえる１枚戸のドアであってもよい。エレベーターのドア１は、開閉するときにドアパネル２が互いに反対方向に移動する両開きのドアであってもよい。
【００３７】
また、敷居溝カバー９のスリット１２の縁１４の形状は、直線状でなくてもよい。スリット１２の縁１４の形状は、例えば蛇腹、円弧、または三角形などであってもよい。敷居溝カバー９のスリット１２の縁１４は、下方から上方に押し付けるように反対側の縁１４に接触してもよい。あるいは、敷居溝カバー９のスリット１２の縁１４は、互いに水平方向に押しあうように反対側の縁１４に接触してもよい。
【００３８】
また、取付具１０を形成する材料は、金属でなくてもよい。取付具１０は、樹脂材料などによって形成されていてもよい。また、取付具１０は、ドアパネル２の下端部と敷居４との間の隙間を塞ぐことによって気体の流れを遮断するものであれば、単一の板でなくてもよい。取付具１０は、例えば複数の板状部材などを組み合わせて形成されていてもよい。
【００３９】
また、敷居溝カバー９は、第１カバー１３ａおよび第２カバー１３ｂに分割されなくてもよい。敷居溝カバー９は、戸当たり６の反対側の端部などにおいて接続している単一の部材であってもよい。
【００４０】
続いて、図５を用いて、実施の形態１の変形例を説明する。
図５は、実施の形態１の変形例に係る隙間遮蔽部の斜視図である。
【００４１】
第２カバー１３ｂは、スリット１２の反対側の端部に外れ止め部１５を有する。この例において、外れ止め部１５は、敷居４の上面から側面にかかる部分である。この例において、敷居４は、側面に軒部１６を有する。軒部１６は、敷居４の上面から側方に張り出す部分である。このとき、外れ止め部１５は、軒部１６の下面にかかるように設けられてもよい。あるいは、外れ止め部１５は、敷居４の下面にかかるように設けられてもよい。外れ止め部１５によって、敷居溝カバー９は、敷居４から脱落しにくくなる。
【００４２】
敷居溝カバー９は、水平固定部１７を有する。水平固定部１７は、スリット１２の縁１４の下方に設けられる。この例において、水平固定部１７は、第１カバー１３ａおよび第２カバー１３ｂに設けられる。水平固定部１７は、敷居溝５の側壁５ａの上端部に接触する部分である。スリット１２の縁１４の下方の水平固定部１７は、反対側のスリット１２の下方の水平固定部１７に対向する。両側のスリット１２の縁１４の下方の水平固定部１７の間隔は、取付具１０の厚さより広い。水平固定部１７によって、敷居溝カバー９のスリット１２の位置は、敷居溝５に対して移動しにくくなる。これにより、取付具１０の移動に引きずられてスリット１２が大きく開くことが防止される。
【００４３】
なお、外れ止め部１５は、敷居溝カバー９の端部を固定するものであればよい。外れ止め部１５は、例えば接着剤による敷居溝カバー９および敷居４の間の接着部であってもよい。外れ止め部１５は、例えばネジなどによる敷居溝カバー９および敷居４の間の締結部であってもよい。外れ止め部１５は、第１カバー１３ａおよび第２カバー１３ｂの両方または一方に設けられてもよい。
【００４４】
実施の形態２．
実施の形態２において、実施の形態１で開示される例と相違する点について特に詳しく説明する。実施の形態２で説明しない特徴については、実施の形態１で開示される例のいずれの特徴が採用されてもよい。
【００４５】
図６は、実施の形態２に係るエレベーターのドアの背面図である。
【００４６】
図６において、ドアパネル２が全閉している状態のドア１が示される。ドア１は、隙間遮蔽部７を備える。隙間遮蔽部７は、ドアシュー８と、敷居溝カバー９と、を備える。ここで、隙間遮蔽部７の一部または全部は、保守作業などにおいて交換可能であってもよい。隙間遮蔽部７の一部または全部は、エレベーターのドア１の保守部品の例である。例えば、ドアシュー８または敷居溝カバー９の各々は、保守部品の例である。
【００４７】
この例において、隙間遮蔽部７は、２つのドアシュー８を備える。２つのドアシュー８の各々は、ドアパネル２の下端部に設けられる。２つのドアシュー８の各々は、取付具１０と、摺動部１１と、を備える。取付具１０のｚ軸方向の長さは、ドアパネル２のｚ軸方向の幅より短くてもよい。
【００４８】
敷居溝カバー９は、突起部１８を有する。突起部１８は、スリット１２の縁１４の下方に設けられる。この例において、敷居溝カバー９は、複数の突起部１８を有する。突起部１８は、ドアシュー８の摺動部１１のいずれかに対応する。突起部１８は、対応する摺動部１１のドアパネル２が全閉しているときの位置に設けられる。突起部１８は、傾斜部１８ａを有する。傾斜部１８ａは、突起部１８の裾野部分１８ｃから突起部１８の頂部分１８ｂに向かって傾斜している部分である。突起部１８の裾野部分１８ｃは、ドアパネル２の開閉方向における突起部１８の端部である。突起部１８の頂部分１８ｂは、ドアパネル２の開閉方向において周囲より大きく突出している部分である。突起部１８の頂部分１８ｂは、平坦な部分を有していてもよい。突起部１８の頂部分１８ｂは、対応する摺動部１１のドアパネル２が全閉しているときの位置に設けられる。ドアパネル２の開閉方向における突起部１８の長さは、ドアパネル２が全閉しているときに摺動部１１に接触しない長さである。
【００４９】
図７は、実施の形態２に係る隙間遮蔽部の鉛直断面図である。
図７は、図６におけるＡ−Ａ断面図である。
【００５０】
図７において、ドアパネル２が全閉しているときの隙間遮蔽部７が示される。突起部１８は、スリット１２の両側の縁１４の下方に設けられる。この例において、突起部１８は、第１カバー１３ａにおけるスリット１２の縁１４の下方、および第２カバー１３ｂにおけるスリット１２の縁１４の下方の両方に設けられる。突起部１８は、対応する摺動部１１の上面に乗り上げている。突起部１８は、摺動部１１に押し上げられている。これにより、スリット１２の縁１４は、ドアパネル２の下端まで持ち上げられる。
【００５１】
このように、隙間遮蔽部７は、ドアパネル２の下端および敷居４の間の隙間を塞いでいる。この例において、取付具１０および敷居溝カバー９は互いに密着している。このため、ドアパネル２の下端部より下方において、ドアパネル２の厚さ方向における気体の流れが遮断される。なお、隙間遮蔽部７がドアパネル２の下端および敷居４の間の隙間を塞いでいれば、取付具１０および敷居溝カバー９は必ずしも互いに密着していなくてもよい。
【００５２】
続いて、図８および図９を用いて、隙間遮蔽部７の動作の例を説明する。
図８は、実施の形態２に係るエレベーターのドアの背面図である。図９は、実施の形態２に係る敷居溝カバーの鉛直断面図である。
【００５３】
図８において、ドアパネル２が開くときのドア１が示される。このとき、ドアパネル２は、戸当たり６から離れる方向に移動する。摺動部１１は、敷居溝５に案内されながら移動する。敷居溝カバー９に接触している取付具１０は、スリット１２の縁１４に接触しながら戸当たり６から離れる方向に移動する。
【００５４】
ドアシュー８の摺動部１１は、敷居溝カバー９の突起部１８の下方から移動する。これにより、摺動部１１に接触していない突起部１８は、下方に下がる。このとき、突起部１８の頂部分１８ｂは、摺動部１１の上面の高さより下方まで下がる。スリット１２の縁１４は、突起部１８とともにドアパネル２の下端の高さより下方まで下がる。
【００５５】
図９は、図８におけるＢ−Ｂ断面図である。図９において、ドアパネル２が開くときの隙間遮蔽部７の敷居溝カバー９が示される。敷居溝カバー９のスリット１２の縁１４は、弾性などによって上方から下方に押し付けるように反対側の縁１４に接触している。このとき、スリット１２が閉じている。この例において、スリット１２の縁１４の高さは、敷居溝カバー９の上面の高さよりも下方まで下がる。
【００５６】
一方、ドアパネル２が閉じるときに、ドアパネル２は、戸当たり６に近づく方向に移動する。このとき、摺動部１１は、敷居溝５に案内されながら移動する。敷居溝カバー９に接触している取付具１０は、スリット１２の縁１４に接触しながら戸当たり６に近づく方向に移動する。
【００５７】
その後、ドアシュー８の摺動部１１は、敷居溝カバー９の突起部１８に接触する。ドアパネル２の開閉方向において摺動部１１が突起部１８に押し当たる力は、突起部１８の傾斜部１８ａによって突起部１８を上方に持ち上げる力に変換される。これにより、突起部１８は、上方に押し上げられる。
【００５８】
その後、ドアパネル２が全閉するときに、スリット１２の縁１４は、ドアパネル２の下端まで再び持ち上げられる。これにより、隙間遮蔽部７は、ドアパネル２の下端および敷居４の間の隙間を塞ぐ。
【００５９】
以上に説明したように、実施の形態２に係る隙間遮蔽部７は、ドアシュー８と、敷居溝カバー９と、を備える。ドアシュー８は、摺動部１１および取付具１０を有する。摺動部１１は、ドアパネル２が開閉するときに敷居溝５の内側において敷居溝５に案内される。取付具１０は、摺動部１１をドアパネル２の下端に取り付ける。敷居溝カバー９は、スリット１２を有する。ドアパネル２が開閉するときに、取付具１０は、移動しながらスリット１２の縁１４に接触する。ドアパネル２が全開しているときに、スリット１２は閉じる。ドアパネル２が全閉しているときに、スリット１２の縁１４は、持ち上がってドアパネル２の下端に接触する。
【００６０】
敷居溝カバー９は、敷居溝５を上方から覆っている。このため、敷居溝カバー９の長さは、ドアパネル２の開閉方向における長さより長い。ドアパネル２が全閉しているときに敷居溝カバー９のスリット１２の縁１４がドアパネル２の下端まで持ち上がるので、ドアパネル２の下端および敷居４の間の隙間が敷居溝カバー９によって塞がれる。すなわち、隙間遮蔽部７は、持ち上がったスリット１２の縁１４とドアパネル２の下端との接触によって、ドアパネル２の下端および敷居４の間の隙間を塞ぐ。これにより、ドアパネル２の下端部より下方において、ドアパネル２の厚さ方向における気体の流れが遮断される。このため、エレベーターのドア１そのものによってドア１の下部において煙の流れを遮断できる。
【００６１】
また、敷居溝カバー９は、スリット１２の縁１４に突起部１８を有する。突起部１８は、ドアパネル２が全閉しているときに摺動部１１に接触する。スリット１２の縁１４は、突起部１８が摺動部１１に押し上げられることによってドアパネル２の下端まで持ち上がる。
【００６２】
敷居溝カバー９は、ドアパネル２の開閉の動作によってドアパネル２の下端まで持ち上がる。このため、ドアパネル２の全閉に連動して、ドアパネル２の下端と敷居４との間の隙間が塞がれる。また、ドアパネル２の開く動作に連動して、スリット１２の縁１４が下方に下がる。このため、敷居溝カバー９は、敷居４の上を通過する利用者などの通行の妨げになりにくい。
【００６３】
また、突起部１８は、傾斜部１８ａを有する。傾斜部１８ａは、裾野部分１８ｃから頂部分１８ｂに向かって傾斜している部分である。傾斜部１８ａによって、開閉方向から摺動部１１が突起部１８に押し当たる力が、突起部１８を上方に押し上げる力に変換される。このため、スリット１２の縁１４は、ドアパネル２の全閉に連動してスムーズに押し上げられる。
【００６４】
なお、突起部１８は、傾斜部１８ａを有していなくてもよい。突起部１８は、スリット１２の縁１４から垂直に下方に突出する部分であってもよい。このとき、例えば摺動部１１が、上面から開閉方向の端部に向けて下がる傾斜を有していてもよい。すなわち、摺動部１１が突起部１８に押し当たる力は、摺動部１１の傾斜によって突起部１８を上方に押し上げる力に変換されてもよい。
【００６５】
続いて、図１０および図１１を用いて、実施の形態２の変形例を説明する。
図１０および図１１は、実施の形態２の変形例に係る隙間遮蔽部の鉛直断面図である。
【００６６】
図１０において、ドアパネル２が全閉しているときの隙間遮蔽部７の敷居溝カバー９が示される。敷居溝カバー９は、挿入部１９を有する。挿入部１９は、敷居溝５に挿入される部分である。ドアパネル２の開閉方向に垂直な平面における挿入部１９の断面形状は、例えば敷居溝５の側壁５ａおよび底面５ｂに沿ったコ字状の形状である。挿入部１９は、例えば第１カバー１３ａおよび第２カバー１３ｂを接続する。このとき、挿入部１９、第１カバー１３ａおよび第２カバー１３ｂは、一体に形成されていてもよい。挿入部１９は、ドアパネル２の開閉方向において敷居溝カバー９の全長にわたって設けられていてもよい。あるいは、挿入部１９は、ドアパネル２の開閉方向において敷居溝カバー９の一部に設けられていてもよい。挿入部１９は、例えば敷居溝カバー９の端部に設けられていてもよい。挿入部１９は、敷居溝５の側壁５ａまたは底面５ｂの少なくとも一方に接触する。この例において、挿入部１９は、敷居溝５の側壁５ａおよび底面５ｂの両方に接触する。また、挿入部１９は、摺動部１１の下面と敷居溝５の底面５ｂとの間に配置される。挿入部１９の断面形状は、例えば半長円状または半楕円状などの形状であってもよい。
【００６７】
図１１において、ドアパネル２が開くときの隙間遮蔽部７の敷居溝カバー９が示される。敷居溝カバー９のスリット１２の縁１４は、弾性などによって上方から下方に押し付けるように反対側の縁１４に接触している。このとき、スリット１２が閉じている。この例において、スリット１２の縁１４の高さは、敷居溝カバー９の上端の高さよりも下方まで下がる。
【００６８】
また、敷居溝カバー９は、挿入部１９と敷居溝５の側壁５ａまたは底面５ｂとの接触によって、摩擦力を受ける。摩擦力によって、敷居溝カバー９は、水平方向および鉛直方向に動きにくくなる。
【００６９】
このように、敷居溝カバー９は、敷居溝５の内側に挿入される。これにより、敷居溝カバー９のスリット１２の位置は、敷居溝５に対して移動しにくくなる。また、敷居溝カバー９は、挿入部１９と敷居溝５の側壁５ａまたは底面５ｂとの接触によって、鉛直方向に動きにくくなる。これにより、敷居溝カバー９は、例えばネジによる締結、または接着剤による接着などによらずに、敷居溝５に固定される。また、敷居溝カバー９は、摺動部１１の下面との接触によって、敷居溝５から鉛直方向に外れにくくなる。
【００７０】
なお、敷居溝カバー９は、敷居溝５の底面５ｂに固定されてもよい。敷居溝カバー９は、例えばネジによって敷居溝５の底面５ｂに締結されていてもよい。敷居溝カバー９は、例えば接着剤によって敷居溝５の底面５ｂに接着されていてもよい。これにより、敷居溝カバー９は、より確実に敷居溝５に固定される。
【産業上の利用可能性】
【００７１】
本発明に係るドアは、エレベーターに適用できる。本発明に係る保守部品は、エレベーターに適用できる。
【符号の説明】
【００７２】
１  ドア、  ２  ドアパネル、  ３  ドアハンガー、  ４  敷居、  ５  敷居溝、  ６  戸当たり、  ７  隙間遮蔽部、  ８  ドアシュー、  ９  敷居溝カバー、  １０  取付具、  １１  摺動部、  ５ａ  側壁、  ５ｂ  底面、  １２  スリット、  １３ａ  第１カバー、  １３ｂ  第２カバー、  １４  縁、  １５  外れ止め部、  １６  軒部、  １７  水平固定部、  １８  突起部、  １８ａ  傾斜部、  １８ｂ  頂部分、  １８ｃ  裾野部分、  １９  挿入部
【要約】
敷居溝への異物の侵入の防止およびドアの下部における遮煙を両立できるエレベーターのドアおよびエレベーターのドアの保守部品を提供する。エレベーターのドア（１）は、隙間遮蔽部（７）を備える。隙間遮蔽部（７）の一部または全部は、保守部品である。隙間遮蔽部（７）は、ドアパネル（２）が全開しているときに敷居（４）の敷居溝（５）を上方から覆う。隙間遮蔽部（７）は、ドアパネル（２）が全閉しているときにドアパネル（２）の下端および敷居（４）の間の隙間を塞ぐ。【図１】
0006769585.tif 000002
【図２】
0006769585.tif 000003
【図３】
0006769585.tif 000004
【図４】
0006769585.tif 000005
【図５】
0006769585.tif 000006
【図６】
0006769585.tif 000007
【図７】
0006769585.tif 000008
【図８】
0006769585.tif 000009
【図９】
0006769585.tif 000010
【図１０】
0006769585.tif 000011
【図１１】
0006769585.tif 000012